(57)【要約】【課題】  車両端末装置に接続した携帯通信端末装置の通信の規制をきめ細かく設定して利用者の利便性を維持する車両内通信システムを提供する。【解決手段】  車両内通信システムは、車両２内に配設される車両端末装置３と車両２内に存在する携帯通信端末装置１とからなる。車両端末装置３は、車両２の走行状態を判定すると共に、携帯通信端末装置１からの信号８を受信しているか否かを判定する。走行状態であって、かつ携帯通信端末装置１からの信号８を受信していない場合に、車両の操作の難易を検知する。規制情報を基に走行判定の判定結果に応じて特定信号６を携帯通信端末装置１に送信する。一方、携帯通信端末装置１は、通信を規制するための特定信号６を車両端末装置３から受信し、特定信号６の種別を判定する。また、予め記憶されている通信規制の設定情報を読み出し、通信の規制が設定されているならば、特定信号６が継続して受信される間、設定情報に基づいて基地局４との通信の規制を行う。【選択図】  図１
2005354267.tif 000002
【特許請求の範囲】
【請求項１】
車両内に配設される車両端末装置と前記車両内に存在する携帯通信端末装置とからなる車両内通信システムであって、
前記車両端末装置は、
前記車両の走行状態を判定する走行判定部と、
前記携帯通信端末装置に特定信号を送信する特定信号送信部と、
前記走行判定部の判定結果に応じて前記特定信号を送信するように前記特定信号送信部を制御する車両端末制御部と、
を備え、
前記携帯通信端末装置は、
基地局を介して情報の送受を行う第１の通信部と、
前記車両端末装置から前記特定信号を受信する特定信号受信部と、
前記第１の通信部による通信の規制情報を記憶する記憶部と、
前記特定信号を受信する場合に前記記憶部に記憶される前記規制情報と前記特定信号とに基づいて前記第１の通信部による情報の送受の少なくとも一部を不可能とするように制御する携帯端末制御部と、
を備えることを特徴とする車両内通信システム。
【請求項２】
前記携帯通信端末装置は、前記第１の通信部を介して受信した情報を前記車両端末装置に送信する第２の通信部をさらに備え、
前記車両端末装置は、前記携帯通信端末装置の前記第２の通信部を介する情報を受信する情報受信部をさらに備え、
前記車両端末制御部が、前記情報受信部による通信中は、前記走行判定部の判定結果に係わらず前記特定信号を送信しないように前記特定信号送信部を制御することを特徴とする請求項１に記載の車両内通信システム。
【請求項３】
前記車両端末装置は、
前記車両の位置情報を取得する位置取得部と、
地図情報および前記車両の目的地情報を格納する記憶部と、
前記位置情報、前記地図情報および前記目的地情報から運転操作難易を判定する車両操作判定部とを、さらに備え、
前記車両端末制御部は、前記走行判定部と前記車両操作判定部との判定結果に応じた前記特定信号を送信するように前記特定信号送信部を制御することを特徴とする請求項１に記載の車両内通信システム。
【請求項４】
車両内に設置される車両端末装置であって、
前記車両の走行状態を判定する走行判定部と、
前記車両内に存在する携帯通信端末装置に特定信号を送信する特定信号送信部と、
前記走行判定部の判定結果に応じて、前記携帯通信端末装置において基地局との情報の送受の少なくとも一部を不可能とするように制御する特定信号を送信するように前記特定信号送信部を制御する車両端末制御部と、
を備えることを特徴とする車両端末装置。
【請求項５】
前記携帯通信端末装置からの情報を受信する情報受信部をさらに備え、
前記情報受信部による通信中は、前記走行判定部の判定結果に係わらず前記特定信号を送信しないように前記特定信号送信部を制御することを特徴とする請求項４に記載の車両端末装置。
【請求項６】
前記車両の位置情報を取得する位置取得部と、
地図情報および前記車両の目的地情報を格納する記憶部と、
前記位置情報、前記地図情報および前記目的地情報から運転操作難易を判定する車両操作判定部とを、さらに備え、
前記車両端末制御部は、前記走行判定部と前記車両操作判定部との判定結果に応じて前記特定信号を送信するように前記特定信号送信部を制御することを特徴とする請求項４に記載の車両端末装置。
【請求項７】
車両内に存在する携帯通信端末装置であって、
基地局を介して情報の送受を行う第１の通信部と、
前記車両内に設置される車両端末装置から特定信号を受信する特定信号受信部と、
前記第１の通信部による通信の規制情報を記憶する記憶部と、
前記特定信号を受信する場合に、前記特定信号の内容と前記記憶部に記憶される前記規制情報とに基づいて前記第１の通信部による情報の送受の少なくとも一部を送受不可能とするように制御する携帯端末制御部と、
を備えることを特徴とする携帯通信端末装置。
【請求項８】
前記第１の通信部を介して送受信した情報を前記車両端末装置に送受信する第２の通信部をさらに備えることを特徴とする請求項７記載の携帯通信端末装置。
【請求項９】
車両内に配設される車両端末装置が前記車両内に存在する携帯通信端末装置の基地局との通信を規制する方法であって、
前記車両の走行状態を判定するステップと、
前記携帯通信端末装置からの情報を受信しているか否かを判定するステップと、
前記走行状態の判定結果と前記携帯通信端末装置からの情報を受信しているか否かの判定結果とに基づいて前記携帯通信端末装置における基地局との通信を規制するための特定信号を前記携帯通信端末装置に送信するステップと、
を含むことを特徴とする車両内通信規制方法。
【請求項１０】
前記走行状態の判定結果が走行状態であって、かつ前記携帯通信端末装置からの情報を受信していない場合に、前記車両の操作の難易を、前記車両の位置情報、記憶されている地図情報および目的地情報から判定するステップをさらに含み、
判定された前記操作の難易に応じて前記特定信号を前記携帯通信端末装置に送信することを特徴とする請求項９記載の車両内通信規制方法。
【請求項１１】
前記車両の位置情報を取得するステップをさらに含み、
操作の難易を検知する前記ステップは、前記取得された位置情報、予め記憶されている地図情報および目的地情報から運転操作難易を検知することを特徴とする請求項１０記載の車両内通信規制方法。
【請求項１２】
前記特定信号の前記携帯通信端末装置への送信は、所定の時間、継続して行われることを特徴とする請求項１０記載の車両内通信規制方法。
【請求項１３】
車両内に存在する携帯通信端末装置が前記車両内に配設される車両端末装置によって基地局との通信を規制される方法であって、
前記携帯通信端末装置における前記基地局との通信を規制するための特定信号を前記車両端末装置から受信するステップと、
予め記憶されている通信規制の設定情報を読み出すステップと、
前記特定信号の内容と前記記憶部に記憶される前記規制情報とに基づいて前記基地局との通信規制を行うステップと、
を含むことを特徴とする車両内通信規制方法。
【請求項１４】
前記特定信号の内容が通信不可を示す信号である場合には前記基地局との送受信を停止することを特徴とする請求項１３記載の車両内通信規制方法。
【請求項１５】
前記特定信号の内容がメール受信可を示す信号である場合には前記基地局からメールを受信することを特徴とする請求項１３記載の車両内通信規制方法。
【発明の詳細な説明】
【技術分野】
【０００１】
本発明は、車両内通信システム、携帯通信端末装置、車両端末装置および車両内通信規制方法に係り、特に車両内において携帯通信端末装置の通信を規制する車両内通信システム、車両内通信システムで用いられる携帯通信端末装置および車両端末装置、車両内において携帯通信端末装置の通信を規制する車両内通信規制方法に係る。
【背景技術】
【０００２】
従来の携帯電話機は、使用者がどのような状況にあるか否かに係わらず、通話可能の電波状況であれば、例えば使用者が社会道徳上、あるいは法的責任上において使用を控える、または禁止されている状況であっても物理的には通話可能となっていた。
【０００３】
すなわち、従来の携帯電話機は、上述のように使用者が本来は使用を控える、または使用してはならない環境、状況にあっても、その利用自体は使用者の任意に任されており、車両や作業機械等の運転や操作という携帯電話機による通信行為が不適とされる状況においても使用可能であった。従って、例えば、車両運転中など、使用者の現在置かれている環境、状況によっては、車両の運転に伴う問題を引き起こす可能性が存在した。
【０００４】
そこで、車両内における携帯電話機に対し、通信規制を行うようなシステムが知られている。例えば、特許文献１には、車両内において携帯電話等の移動体通信端末の着信を適切に制限することのできる車載用制御装置及び着信制限方法が開示されている。この車載用制御装置は、車両に搭載され、所定の移動体通信端末の着信を制御するための車載用制御装置である。車両の走行状態を示す情報を取得する走行状態取得手段と、走行状態取得手段が取得した情報に従って、車両が着信制限すべき箇所を走行中であるか否かを判別する判別手段と、判別手段により、着信制限すべき箇所を走行中であると判別された場合に、移動体通信端末を着信制限状態に制御する制御手段と、を備えるものである。
【０００５】
また、特許文献２には、携帯端末を車両内に持ち込んだ場合、運転者による車両走行中の携帯端末の通信を規制し、安全運転を確実に可能とする携帯端末通信規制装置が開示されている。この装置は、車両の運転席のドアの開閉を検知するドア開閉検知手段と、ドア開閉検知手段によるドアの開閉の検知結果に基いて、運転席に、携帯端末の通信を規制する電磁波を送信する通信規制信号送信手段とを有するものである。
【０００６】
さらに、特許文献３には、走行中の車両内において、運転者による通話を制限する車両内電話装置向送信装置と車両内電話装置が開示されている。車両内電話装置向送信装置は、車両の走行状態を検知する手段と、走行状態に応じて、車両内電話装置の動作状態を直接的に又は間接的に制御し得る信号を無線により、運転席及びその近傍に送信する手段とを設けている。
【特許文献１】特開２００２−７８００９号公報  （図１、図３）
【特許文献２】特開２００３−１７４６７４号公報  （図１）
【特許文献３】特開平１０−２００９６１号公報  （図１、図７）
【発明の開示】
【発明が解決しようとする課題】
【０００７】
ところで、車両内には、カーナビゲーション機能に代表されるような各種の車載装置が設置されている。また、車載装置の中には、通信機能を持つものも存在する。あるいは、車両内に持ち込まれた携帯通信端末装置の通信機能を用いて、外部からの情報、例えば地図情報、渋滞情報、店舗情報、観光地情報等を取り込んで車載装置で表示することも考えられる。このような携帯通信端末装置の通信機能を用いて、外部からの情報を取得する車載装置にあっては、利用者の利便性を維持するために、携帯通信端末装置の通信の規制を行う場合に、きめ細かく設定できることが望ましい。
【０００８】
一方、車両内に持ち込まれた携帯通信端末装置に対しては、従来において、例えば、特許文献１等に開示されたような車両内において携帯電話等の通信端末装置の着信を適切に制限することのできる通信規制を行うようなシステムが知られている。しかしながら、従来知られているシステムでは、車載装置（車両端末装置）に接続した携帯通信端末装置における通信機能の規制をきめ細かく設定できるようなものは、知られていなかった。
【０００９】
したがって、本発明の目的は、車両端末装置に接続した携帯通信端末装置の通信の規制をきめ細かく設定して利用者の利便性を維持する車両内通信システム、携帯通信端末装置、車両端末装置および車両内通信規制方法を提供することにある。
【課題を解決するための手段】
【００１０】
前記目的を達成する本発明の一つのアスペクトに係る車両内通信規制システムは、車両内に配設される車両端末装置と車両内に存在する携帯通信端末装置とからなる車両内通信システムである。車両端末装置は、車両の走行状態を判定する走行判定部と、携帯通信端末装置に特定信号を送信する特定信号送信部と、走行判定部の判定結果に応じて特定信号を送信するように特定信号送信部を制御する車両端末制御部と、を備える。また、携帯通信端末装置は、基地局を介して情報の送受を行う第１の通信部と、車両端末装置から特定信号を受信する特定信号受信部と、第１の通信部による通信の規制情報を記憶する記憶部と、特定信号を受信する場合に記憶部に記憶される規制情報に基づいて第１の通信部による情報の送受の少なくとも一部を不可能とするように制御する携帯端末制御部と、を備える。
【００１１】
第１の展開形態の車両内通信規制システムにおいて、携帯通信端末装置は、第１の通信部を介して受信した情報を車両端末装置に送信する第２の通信部をさらに備え、車両端末装置は、携帯通信端末装置の第２の通信部を介する情報を受信する情報受信部をさらに備え、車両端末制御部が、情報受信部による通信中は、走行判定部の判定結果に係わらず特定信号を送信しないように特定信号送信部を制御するように構成されてもよい。
【００１２】
第２の展開形態の車両内通信規制システムにおいて、車両端末装置は、車両の位置情報を取得する位置取得部と、地図情報および車両の目的地情報を格納する記憶部と、位置情報、地図情報および目的地情報から運転操作難易を判定する車両操作判定部とを、さらに備え、車両端末制御部は、走行判定部と車両操作判定部との判定結果に応じて特定信号を送信するように特定信号送信部を制御するように構成されてもよい。
【００１３】
本発明の第２のアスペクトに係る車両端末装置は、車両内に設置され、車両の走行状態を判定する走行判定部と、車両内に配置された携帯通信端末装置に特定信号を送信する特定信号送信部と、走行判定部の判定結果に応じて、携帯通信端末装置において基地局との情報の送受の少なくとも一部を不可能とするように制御する特定信号を送信するように特定信号送信部を制御する車両端末制御部と、を備える。
【００１４】
第１の展開形態の車両端末装置において、携帯通信端末装置からの情報を受信する情報受信部をさらに備え、情報受信部による通信中は、走行判定部の判定結果に係わらず特定信号を送信しないように特定信号送信部を制御するように構成されてもよい。
【００１５】
第２の展開形態の車両端末装置において、車両の位置情報を取得する位置取得部と、地図情報および車両の目的地情報を格納する記憶部と、位置情報、地図情報および目的地情報から運転操作難易を判定する車両操作判定部とを、さらに備え、車両端末制御部は、走行判定部と車両操作判定部との判定結果に応じて特定信号を送信するように特定信号送信部を制御するように構成されてもよい。
【００１６】
本発明の第３のアスペクトに係る携帯通信端末装置は、基地局を介して情報の送受を行う第１の通信部と、車両端末装置から特定信号を受信する特定信号受信部と、車両端末装置への通信の規制情報を記憶する記憶部と、特定信号を受信する場合に記憶部に記憶される規制情報に基づいて第１の通信部による情報の送受の少なくとも一部を送受不可能とするように制御する携帯端末制御部と、を備える。
【００１７】
第１の展開形態の携帯通信端末装置において、第１の通信部を介して送受信した情報を車両端末装置に送受信する第２の通信部をさらに備えるように構成されてもよい。
【００１８】
本発明の第４のアスペクトに係る車両内通信規制方法は、車両内に配設される車両端末装置が車両内に存在する携帯通信端末装置の基地局との通信を規制する方法である。この方法は、車両の走行状態を判定するステップと、携帯通信端末装置からの情報を受信しているか否かを判定するステップと、走行状態の判定結果と携帯通信端末装置からの情報を受信しているか否かの判定結果とに基づいて携帯通信端末装置における基地局との通信を規制するための特定信号を携帯通信端末装置に送信するステップと、を含む。
【００１９】
第１の展開形態の車両内通信規制方法において、走行状態の判定結果が走行状態であって、かつ携帯通信端末装置からの情報を受信していない場合に、車両の操作の難易を、車両の位置情報、記憶されている地図情報および目的地情報から判定するステップをさらに含み、判定された前記操作の難易に応じて特定信号を携帯通信端末装置に送信するようにしてもよい。
【００２０】
第２の展開形態の車両内通信規制方法において、車両の位置情報を取得するステップをさらに含み、操作の難易を検知するステップは、取得された位置情報、予め記憶されている地図情報および目的地情報から運転操作難易を検知するようにしてもよい。
【００２１】
第３の展開形態の車両内通信規制方法において、特定信号の携帯通信端末装置への送信は、所定の時間、継続して行われるようにしてもよい。
【００２２】
本発明の第５のアスペクトに係る車両内通信規制方法は、車両内に存在する携帯通信端末装置が車両内に配設される車両端末装置によって基地局との通信を規制される方法である。この方法は、携帯通信端末装置における基地局との通信を規制するための特定信号を車両端末装置から受信するステップと、予め記憶されている通信規制の設定情報を読み出すステップと、特定信号の内容と記憶部に記憶される規制情報とに基づいて基地局との通信規制を行うステップと、を含む。
【００２３】
第４の展開形態の車両内通信規制方法において、特定信号の内容が通信不可を示す信号である場合には前記基地局との送受信を停止するようにしてもよい。
【００２４】
第５の展開形態の車両内通信規制方法において、特定信号の内容がメール受信可を示す信号である場合には基地局からメールを受信するようにしてもよい。
【発明の効果】
【００２５】
本発明によれば、携帯通信端末装置の通信状況および車両の走行状況を基に携帯通信端末装置の通信規制を行うに際して状況に応じた細かな設定が可能となるので、利用者の利便性を向上することができる。
【発明を実施するための最良の形態】
【００２６】
本発明の実施形態に係る車両内通信システムは、車両（図１の２）内に配設された車両端末装置（図１の３）と同じく車両内にある携帯通信端末装置（図１の１）とからなる。携帯通信端末装置（図２の１）は、基地局（図１の４）を介して情報の送受を行う無線通信部（図２の１１）と、車両端末装置から特定信号を受信する特定信号受信部（図２の１４）と、無線通信部による通信の規制情報を記憶する記憶部（図２の２０）と、特定信号を受信する場合に記憶部に記憶されている規制情報に基づいて無線通信部による情報の送受の少なくとも一部を送受不可能とするように制御する制御部（図２の２１）と、を備える。
【００２７】
また、車両端末装置（図３の３）は、車両の走行状態を判定する走行判定部（図３の３９）と、携帯通信端末装置に特定信号（図３の６）を送信する特定信号送信部（図３の３６）と、走行判定部の判定結果に応じて特定信号を送信するように特定信号送信部を制御する制御部（図３の４０）と、を備える。
【００２８】
以上のように構成される車両内通信システムにおいて、車両端末装置は、車両の走行状態を判定すると共に、携帯通信端末装置からの情報を受信しているか否かを判定する。走行状態の判定結果と携帯通信端末装置からの情報を受信しているか否かの判定結果とに基づいて携帯通信端末装置における基地局との通信を規制するための特定信号を携帯通信端末装置に送信する。
【００２９】
一方、携帯通信端末装置は、通信を規制するための特定信号を車両端末装置から受信し、特定信号の内容を判定する。また、予め記憶されている通信規制の設定情報を読み出し、通信の規制が設定されているならば、特定信号が継続して受信される間、特定信号の内容と設定情報とに基づいて基地局との間の通信規制を行う。
【実施例１】
【００３０】
次に、本発明の実施例について、より具体的に図面を参照して詳しく説明する。
【００３１】
図１は、本発明の実施例に係る車両内通信システムの構成を示すブロック図である。車両内通信システムは、基地局４を介して他の通信端末と情報の送受（音声通信、データ通信）を行う携帯電話機などからなる携帯通信端末装置１と、車両２内に設置される情報処理機器から構成され、車両２の走行状態を検知し、該検知結果に基づいて携帯通信端末装置１に対して所定の信号を送出する車両端末装置３と、から主に構成される。
【００３２】
まず始めに、携帯通信端末装置１について説明する。携帯通信端末装置１は、図２に示すように、アンテナ部を介して基地局４との間で無線信号を送受する無線通信部１１と、画像や文字などの各種データの処理、表示を行う表示部１２と、各種情報入力を行う、テンキー、スクロールキー、決定キー等から構成される操作部１３と、特定信号６を受信する特定信号受信部１４と、ＩＲ（赤外線）やブルートゥースなどの近距離無線通信手段により、車両端末装置３とのデータ、通信制御の情報等の装置間信号８を送受する外部機器通信部１５と、音声信号処理を行う送受話処理部１６、および音声の入力、出力を行う送話部１７、受話部１８と、報知音（着信メロディー）等の楽音を出力するスピーカ１９と、各種情報（スケジュール、電話帳、送受信メール、発着呼履歴など）や携帯通信端末装置１の特定信号受信時の動作等を含む各種設定情報を記憶する記憶部２０と、携帯通信端末装置１の各部の制御を行い、電話機能、メール機能、外部機器通信機能、インターネット接続機能などの制御を行う制御部２１とから主に構成される。
【００３３】
なお、携帯通信端末装置１と車両端末装置３との装置間信号８による通信は、ＩＲ（赤外線）やブルートゥースなどの近距離無線通信手段に限るものではなく、例えば、有線による接続（データ送受）であっても良い。また、携帯通信端末装置１が車両端末装置３に密着して置かれる構成とし、電気的な接触によってなされてもよい。さらに、特定信号６は、無線によるものであっても有線によるものであってもよく、また、装置間信号８と同一の信号伝達媒体を用いてもよい。
【００３４】
次に車両端末装置３について説明する。車両端末装置３は、図３に示すように、不図示のＧＰＳ衛星からの信号受信により位置情報の検出（測位）を行う測位部３１と、画像や文字などの各種データの処理、表示を行う表示部３２と、情報入力操作を行う操作部３３と、音声・楽音信号を出力するスピーカ３４、近距離無線通信手段により携帯通信端末装置１との間でデータ信号、通信制御信号等の装置間信号８の送受を行なう通信Ｉ／Ｆ部３５と、携帯通信端末装置１に対して予め設定された周波数、パターンの特定信号６を送信する特定信号送信部３６と、地図情報などの各種情報や車両端末の各種設定を記憶する記憶部３７と、車両に取付けたセンサ（車速センサ、エンジン回転センサなど）３８の検知結果に基づき、車両２の走行を判定する走行判定部３９と、測位部３１、通信Ｉ／Ｆ部３５、特定信号送信部３６、カーナビゲーション機能部４１、などの各部を制御する制御部４０と、車両２のナビゲーションを行うカーナビゲーション機能部４１と、から主に構成される。
【００３５】
なお、車両の走行判定は、車両に取付けた車速センサ、エンジン回転センサなどの検知によるセンサ３８以外に、例えば、ＧＰＳによる測位位置情報の所定時間変化により判定するようにしても良い。
【００３６】
次に、本発明の実施例に係る車両内通信システムの動作について、図４乃至図５を参照して説明する。図４は、本発明の実施例に係る車両端末装置の動作を表すフローチャート図である。また、図５は、本発明の実施例に係る携帯通信端末装置の動作を表すフローチャート図である。
【００３７】
まず始めに車両端末装置３の動作について説明する。図４において、車両端末装置３の制御部４０は、センサ３８からの信号により車両の走行を判定する走行判定部３９の判定出力を常時監視しており（ステップＳ１１）、車速やエンジン回転検出などから車両の走行を判定したときは、ステップＳ１２に進み、走行状態に無ければステップＳ１１に戻る。ステップＳ１２では、携帯通信端末装置１とデータ通信を行う通信Ｉ／Ｆ部３５が使用状態にあるか否かを判定する。例えば、通信Ｉ／Ｆ部３５が携帯通信端末装置１から地図情報データなどを受信しながら車両２が走行しているような場合には、使用状態と判定される。携帯通信端末装置１から受信有り（使用状態）の時はステップＳ１１に戻り、受信無し（使用状態でない）の時はステップＳ１３に進む。
【００３８】
更に、地図情報（道路情報）、現在位置情報、目的位置情報から、所定期間の運転操作の難易（車両操作判定）として、例えば、カーブ走行、交差点通過の有無、直線走行（信号無）の継続などが判定される（ステップＳ１３）。
【００３９】
そして、所定時間分のタイマセットがなされ（ステップＳ１４）、運転操作の難易（カーブ走行か直線走行か、交差点通過の有無、等）に応じた特定信号情報が抽出される（ステップＳ１５）。すなわち、例えばカーブ走行あるいは交差点通過有りの場合に車両運転操作難と判定して、記憶部３７から予め登録されている特定信号情報として、例えば携帯通信端末装置１に対して無線通信部１１を非動作（例えば電源オフ）とする命令信号を抽出し（ステップＳ１５）、この命令信号を特定信号送信部３６を介してタイマセットされた所定時間に亘って送信する（ステップＳ１６〜Ｓ１７）。あるいは、例えば直線走行かつ交差点通過無しの場合に車両運転操作易を判定し、記憶部３７から予め登録されている特定信号情報として、例えば携帯通信端末装置１に対して無線通信部１１の電源オンを維持したまま、メール受信と当該メール情報の音声出力のみを許可する許可命令信号を抽出し（ステップＳ１５）、この許可命令信号を特定信号送信部３６を介してタイマセットされた所定時間に亘って送信する（ステップＳ１６〜Ｓ１７）。タイムアウトになったならば、特定信号の送信を停止し（ステップＳ１８）、ステップＳ１１に戻る。
【００４０】
次に携帯通信端末装置１の動作について説明する。図５において、携帯通信端末装置１の制御部２１は、特定信号受信部１４を介して車両端末装置３から特定信号６を受信する（ステップＳ２１）。特定信号６が受信されたならば、特定信号の種別を判定する（ステップＳ２２）。例えば、前記特定信号の内容が基地局との送受信を停止する（例えば無線通信部１１を電源オフとする）通信不可命令であるか、メール受信と当該メール情報の音声出力のみを許可する許可命令であるか等を判定する。次に記憶部２０に予め格納された特定信号６による規制設定情報を読出し（ステップＳ２３）、規制設定がなされているか判断する（ステップＳ２４）。通信の規制設定がなされていなければそのまま終了し、規制設定がなされていれば、特定信号の種別と規制設定情報とに応じて携帯通信端末装置１の通信の規制設定を行う（ステップＳ２５）。特定信号が継続して受信しているか判断し（ステップＳ２６）、継続しているならばステップＳ２５に戻り、継続しなくなったならば通信の規制を解除する（ステップＳ２７）。すなわち、特定信号受信部１４を介する特定信号６の受信が行われている間、通信規制が継続される。
【００４１】
なお、緊急時等に、携帯通信端末装置１に対して通信を再開させる、または機器不具合等で使用者が車両の操作を終了しても通信機能が回復しない場合の回避手段として、基地局４からの所定の信号を受信することで携帯通信端末装置１の通信を回復させるようにしてもよい。
【００４２】
以上のように動作する車両内通信システムによれば、携帯通信端末装置が、例えば、基地局を介して図示しないサーバ装置から地図情報、渋滞情報、店舗情報、観光地情報等を受信し、車両端末装置（ナビゲーション装置を含む）に送信する場合などにおいて、車両の走行状況に係わらず、通信が維持・継続できるため、利用者の利便性が向上される。また、道路の走行状況等に応じて、規制内容（通信禁止、端末機能制限）を設定することが出来るので、携帯通信端末装置の通信規制に関し状況に応じた細かな制御が可能となる。
【図面の簡単な説明】
【００４３】
【図１】本発明の実施例に係る車両内通信システムの構成を示すブロック図である。
【図２】本発明の実施例に係る携帯通信端末装置の構成を示すブロック図である。
【図３】本発明の実施例に係る車両端末装置の構成を示すブロック図である。
【図４】本発明の実施例に係る車両端末装置の動作を表すフローチャート図である。
【図５】本発明の実施例に係る携帯通信端末装置の動作を表すフローチャート図である。
【符号の説明】
【００４４】
１  携帯通信端末装置
２  車両
３  車両端末装置
４  基地局
６  特定信号
８  装置間信号
１１  無線通信部
１２  表示部
１３  操作部
１４  特定信号受信部
１５  外部機器通信部
１６  送受話処理部
１７  送話部
１８  受話部
１９  スピーカ
２０  記憶部
２１  制御部
３１  測位部
３２  表示部
３３  操作部
３４  スピーカ
３５  通信Ｉ／Ｆ部
３６  特定信号送信部
３７  記憶部
３８  センサ
３９  走行判定部
４０  制御部
４１  カーナビゲーション機能部
【図１】
2005354267.tif 000003
【図２】
2005354267.tif 000004
【図３】
2005354267.tif 000005
【図４】
2005354267.tif 000006
【図５】
2005354267.tif 000007